(57)【要約】      （修正有）【課題】床材の固定が簡単にでき、任意の位置の床材の交換が固定金具の取外しを要することなく容易にできる床材固定構造を提供する。【解決手段】床材Ａ２の一端には嵌合凸部を、前記床材の他端には嵌合凸部が嵌合可能な嵌合凹部をそれぞれ設け、床材の一端には支持材側に下部に係止凸部を有する第１凹部を、床材の他端には支持材側に下部に係止凸部を有する第２凹部をそれぞれ設ける。連結部の両側に断面略く字形の弾性係合部を有する固定金具Ｂを支持材の上面に床材の幅と等しい間隔を持って連結部において固着する。床材を隣接する二つの固定金具Ｂの互いに近い側の弾性係合部を弾性変形させながら支持材の上面に押し下げて弾性係合部を床材の第１凹部の係止凸部及び第２凹部の係止凸部に係合させて固定すると同時に、互いに隣接する床材のうち一方の床材の嵌合凸部を他方の床材の嵌合凹部に嵌合させる。【選択図】図３
2005282170.tif 000002
【特許請求の範囲】
【請求項１】
床材の幅方向一端には幅方向他端と反対方向に突出する嵌合凸部を、前記床材の幅方向他端には前記幅方向一端と反対方向に開口して前記嵌合凸部が嵌合可能な嵌合凹部をそれぞれ設け、床材の幅方向一端には前記嵌合凸部の支持材側に前記幅方向他端方向に窪み、かつ、下部に係止凸部を有する第１凹部を、床材の幅方向他端には前記嵌合凹部の支持材側に前記幅方向一端方向に窪み、かつ、下部に係止凸部を有する第２凹部をそれぞれ設けるとともに、
中央の連結部の両側に断面略く字形の弾性係合部を有する固定金具を、支持材の上面に前記床材の幅と等しい間隔を持って前記連結部において固着し、
前記床材を隣接する二つの前記固定金具の互いに近い側の弾性係合部を弾性変形させながら前記支持材の上面に押し下げて前記弾性係合部を前記床材の第１凹部の係止凸部及び第２凹部の係止凸部に係合させて固定すると同時に、互いに隣接する床材のうち、一方の床材の前記嵌合凸部を他方の床材の前記嵌合凹部に嵌合させることを特徴とする床材の固定構造。
【発明の詳細な説明】
【技術分野】
【０００１】
本発明は、屋外に設置されるデッキの床材を根太等の支持材に固定する構造に関する。
【背景技術】
【０００２】
屋外に設置されるデッキの床材に、横方向に複数の中空部を有する長尺帯状に成形された合成樹脂製床材が使用されることが増えてきた。この床材は、複数枚を根太などの支持材の上に平行に並べ、互いに近接又は密着して釘又はねじなどの固着具により支持材に固定されるが、その固着具が床材上面に露呈されたり、床材上面に亀裂が発生したりする不都合を回避できる床材の固定構造が求められており、これまでに、この要望に応える各種の床材固定構造が提案されている。例えば特許文献１及び２を参照。
【特許文献１】特開２００２−４４０７号公報
【特許文献２】特開２００３−２０１７５８号公報
【発明の開示】
【発明が解決しようとする課題】
【０００３】
しかしながら、上記先行技術は、いずれも床材を支持材に載置し、その床材に固定金具の一部を係合させ、その固定金具を支持材に固着具により固着して床材を固定している。そして、任意の位置の床材の交換が必要なった場合は、デッキ床の終端部の床材から当該床材まで、一列の固定金具の取外しと床材の取外しを繰り返し行う必要があるため、手間隙が掛かった。交換後は、再び、取外した床材の静置と固定金具の固着作業を繰り返し行う必要があるので、床材の交換が面倒であった。
【０００４】
本発明は、上記の点に鑑みてなされたものであり、その課題は、床材の支持材に対する固定が簡単にでき、しかも、任意の位置の床材の交換が固定金具の取外しを要することなく容易にできる床材固定構造を提供することにある。
【課題を解決するための手段】
【０００５】
第一の課題を解決するため、本発明は、床材の幅方向一端には幅方向他端と反対方向に突出する嵌合凸部を、前記床材の幅方向他端には前記幅方向一端と反対方向に開口して前記嵌合凸部が嵌合可能な嵌合凹部をそれぞれ設け、床材の幅方向一端には前記嵌合凸部の支持材側に前記幅方向他端方向に窪み、かつ、下部に係止凸部を有する第１凹部を、床材の幅方向他端には前記嵌合凹部の支持材側に前記幅方向一端方向に窪み、かつ、下部に係止凸部を有する第２凹部をそれぞれ設けるとともに、中央の連結部の両側に断面略く字形の弾性係合部を有する固定金具を、支持材の上面に前記床材の幅と等しい間隔を持って前記連結部において固着し、前記床材を隣接する二つの前記固定金具の互いに近い側の弾性係合部を弾性変形させながら前記支持材の上面に押し下げて前記弾性係合部を前記床材の第１凹部の係止凸部及び第２凹部の係止凸部に係合させて固定すると同時に、互いに隣接する床材のうち、一方の床材の前記嵌合凸部を他方の床材の前記嵌合凹部に嵌合させることを特徴としている。
上記構成により、固定金具を支持材の正確な位置に取付ければ、各床材を隣接する固定金具の間に押し下げると同時に隣接する床材の嵌合凸部と嵌合凹部とを嵌合させる簡単な作業で床材の固定が可能である。また、床材の交換が必要になった場合は、その交換が必要になった床材とこれに隣り合う床材の嵌合部分を持ち上げると、固定金具から解放され、かつ、嵌合凸部と嵌合凹部の嵌合が解かれるので、容易に取外すことができる。
【発明の効果】
【０００６】
上記のように、本発明によれば、床材の支持材に対する固定が容易にできるとともに、固定金具の取外しを要することなく任意の位置の床材を容易に取外すことができる。従って、交換や保守等が容易にできる。
【発明を実施するための最良の形態】
【０００７】
次に、本発明の実施の形態について、図面に基づいて説明する。
図１は本発明の実施の形態を示す床材の端面図、図２は同床材の固定に用いられる固定金具の斜視図、図３は同床材の支持材に固定された状態及び任意の位置の床材を取外す際の動作を説明する断面図である。
【０００８】
本発明に係る床材Ａは、木粉と結合剤と合成樹脂材料をブレンドして押出し成形された合成樹脂製床材であり、上壁１と下壁２との間に複数の縦壁３が、また、幅方向両側に端部壁４，５が設けられて、複数の中空部６を有する長尺帯板状に成形されている。
【０００９】
そして、床材Ａの幅方向一端、すなわち、端部壁４には幅方向他端と反対方向に突出する嵌合凸部７が設けられ、床材Ａの幅方向他端には前記幅方向一端と反対方向に開口して嵌合凸部７が嵌合可能な嵌合凹部１０が、上下の凸部１１，１２により形成されている。また、床材の幅方向一端には嵌合凸部７の支持材側（下側）に、幅方向他端方向に窪み、かつ、下部に係止凸部８を有する第１凹部９が設けられ、床材の幅方向他端には嵌合凹部１０の支持材側（下側）に幅方向一端方向に窪み、かつ、下部に係止凸部１３を有する第２凹部１４が形成されている。
【００１０】
上記嵌合凸部７と嵌合凹部１０は、図３（ａ）に示すように、二つの床材Ａが共通の平面上に並べ置かれ、かつ、嵌合凸部７を嵌合凹部１０に嵌合された状態から、同図（ｂ）に示すように、それらの嵌合部分を持ち上げることができる程度の緩やかな嵌合ができるように寸法設定がされている。
【００１１】
図２は、上記構造の床材を支持材の上面に固定するための固定金具Ｂを示している。この固定金具Ｂは、ステンレススチール等などの金属で作られ、中央底部の連結部２１と、その連結部の両側から断面略く字形に立ち上がる弾性係合部２２ａ，２２ｂとを一体に有し、連結部にねじ貫通孔２３が設けられている。
【００１２】
上記構造を有する床材Ａを大引、根太などの支持材Ｍに固定するには、図３（ａ）に示すように、まず、支持材Ｍの上面に固定金具Ｂを前記床材Ａの幅と等しい間隔を持って載置し、ねじ貫通孔２３からねじＣを支持材Ｍにねじ込んで固着する。この場合、両側の弾性を有する係合部２２ａ，２２ｂは支持材Ｍの長手方向に並ぶように配置される。
【００１３】
次に、最初の床材Ａ１の幅方向一端部を任意の固定具又は固定金具Ｂ（不図示）により固定し、その床材Ａ１の嵌合凹部１０に、次の床材Ａ２の嵌合凸部７を緩く嵌合した状態で、それら二つの床材Ａ１，Ａ２の嵌合部分を固定金具Ｂ１に向けて押し下げると、その固定金具Ｂ１の一方（図３の左側）の係合部２２ａは床材Ａ１の係止凸部１３により弾性変形されながら第２凹部１４に嵌合し、また、他方（図３の右側）の係合部２２ｂは床材Ａ２の係止凸部８により弾性変形されながら第１凹部９に嵌合する。そして、両床材Ａ１，Ａ２の隣接する端部がともに支持材Ｍの上面に当接した時は、嵌合凸部７と嵌合凹部１０がしっかり嵌合し、係合部２２ａ，２２ｂが弾性復元してそれぞれが係止凸部８，１３の肩部に係止されて安定する。
【００１４】
続いて、その床材Ａ２の他端部と、次の床材Ａ３の一端部についても、先と同様に、床材Ａ２の嵌合凹部１０に、次の床材Ａ３の嵌合凸部７を緩く嵌合した状態で、それら二つの床材Ａ２，Ａ３の嵌合部分を固定金具Ｂ２に向けて押し下げて、前述したと同様にして嵌合凸部７と嵌合凹部１０がしっかり嵌合し、係合部２２ａ，２２ｂが弾性復元してそれぞれが係止凸部８，１３の肩部に係止されて安定する。
【００１５】
以下、他の床材も同様に、先の床材の嵌合凹部１０と次の床材の嵌合凸部７の嵌合、嵌合部分の押し下げ、係合部２２ａ，２２ｂと凸部８，１３との係合による固定を繰り返されて、デッキの床が構成される。
【００１６】
上記のようにして構成された床の任意の位置の床材、例えば、図３（ａ）の床材Ａ２の交換が必要になった場合は、次のようにして、その床材を取外すことができる。すなわち、交換が必要な床材Ａ２と、これに隣接する床材、例えば、図３（ａ）のＡ３の固定金具Ｂ２に固定されている嵌合部分又はその付近を、適当な工具でデッキ下側から押し上げ又は上側から持ち上げる。そうすると、これらの嵌合部分を固定している固定金具Ｂ２の係合部２２ａ，２２ｂが係止凸部８，１３から受ける力により弾性変形し、互いに接近するので、係止凸部８，１３が固定金具Ｂ２から解放されるため、図３（ｂ）に示すように、床材Ａ２，Ａ３の嵌合部分が上昇する。これに伴い、床材Ａ２の嵌合凹部１０と床材Ａ３の嵌合凸部７の嵌合が解かれる。従って、目的とする床材Ａ２を、これに隣接するもう一つの床材Ａ１とともに固定している固定金具Ｂ１から離れる方向（同図では右方向）に移動することにより容易に分離し、取外すことができる。
【００１７】
交換又は保守された床材を取付ける場合は、取外すときの動作と逆の順序で容易に取付けることができることは、いうまでもない。
【産業上の利用可能性】
【００１８】
本発明は、デッキの床材の固定に限らず、建物の壁材や屋根材の固定に適用することも可能である。
【図面の簡単な説明】
【００１９】
【図１】本発明の実施の形態を示す床材の端面図。
【図２】床材の固定に用いられる固定金具の斜視図。
【図３】床材の支持材に固定された状態及び任意の位置の床材を取外す際の動作を説明する断面図。
【符号の説明】
【００２０】
Ａ          床材
７          嵌合凸部
８          係止凸部
９          第１凹部
１０        嵌合凹部
１３        係止凸部
１４        第２凹部
Ｂ          固定金具
２１        連結部
２２ａ，２２ｂ  係合部
【図１】
2005282170.tif 000003
【図２】
2005282170.tif 000004
【図３】
2005282170.tif 000005